(57)【要約】  光学部８と一対の支持部９ａ，９ｂとを有する眼内レンズ７を眼内に挿入する眼内レンズ挿入器具１であって、眼内レンズ７が設置されるレンズ設置部６が設けられた挿入器具本体２と、挿入器具本体２の中心軸方向に移動することにより、レンズ設置部６から眼内レンズ７を押し出す押出部材５と、押出部材５が挿入器具本体２の中心軸方向に移動する際に、押出部材５の移動をガイドするガイドスロープ１１と、を備える。押出部材５の先端部は、挿入器具本体２の中心軸方向に押出部材５が移動する際に、眼内レンズ７の支持部９ｂに接触し且つ支持部９ｂを押し込みながら光学部８に接触し、ガイドスロープ１１は、押出部材５の先端部が上下方向に変位するようにガイドする。
2017047714.tif 000002
【特許請求の範囲】
【請求項１】
光学部と当該光学部から延在する支持部とを有する眼内レンズを眼内に挿入する眼内レンズ挿入器具であって、
前記眼内レンズが設置されるレンズ設置部が設けられた挿入器具本体と、
前記挿入器具本体の中心軸方向に移動することにより、前記レンズ設置部から前記眼内レンズを押し出す押出部材と、
前記押出部材が前記挿入器具本体の中心軸方向に移動する際に、前記押出部材の移動をガイドするガイド機構と、
を備え、
前記押出部材の先端部は、前記挿入器具本体の中心軸方向に前記押出部材が移動する際に、前記眼内レンズの前記支持部に接触し且つ前記支持部を押し込みながら前記光学部に接触し、
前記ガイド機構は、前記押出部材の先端部が前記挿入器具本体の中心軸と交差する方向に変位するように、前記押出部材の移動をガイドする
ことを特徴とする眼内レンズ挿入器具。
【請求項２】
前記ガイド機構は、前記押出部材の移動をガイドするガイドスロープを備え、当該ガイドスロープに沿って前記押出部材の先端部を上下方向に変位させる
ことを特徴とする請求項１に記載の眼内レンズ挿入器具。
【請求項３】
前記ガイド機構は、前記押出部材の先端部が上方に変位しながら前記支持部を押し込むように、前記押出部材の移動をガイドする
ことを特徴とする請求項２に記載の眼内レンズ挿入器具。
【請求項４】
前記ガイド機構は、前記押出部材の移動方向の上流側から下流側に向かって斜め上方向に傾斜した傾斜部を有する下側ガイドスロープと、前記押出部材の移動方向の上流側から下流側に向かって斜め下方向に傾斜した傾斜部を有する上側ガイドスロープとを備える
ことを特徴とする請求項２または３に記載の眼内レンズ挿入器具。
【請求項５】
前記ガイド機構は、前記挿入器具本体の中心軸方向に移動する前記押出部材の先端部の横振れを抑制する抑制部を備える
ことを特徴とする請求項２〜４のいずれか１項に記載の眼内レンズ挿入器具。
【請求項６】
前記ガイド機構は、前記押出部材の移動をガイドするガイド溝を備え、当該ガイド溝に沿って前記押出部材の先端部を左右方向に変位させる
ことを特徴とする請求項１に記載の眼内レンズ挿入器具。
【請求項７】
前記ガイド機構は、前記押出部材の先端部が前記挿入器具本体の中心軸の位置から左右方向の一方にずれた位置で前記支持部の先端部に接触した後、前記押出部材の先端部が左右方向の他方に変位して前記挿入器具本体の中心軸の位置で前記光学部に接触するように、前記押出部材の移動をガイドする
ことを特徴とする請求項６に記載の眼内レンズ挿入器具。
【請求項８】
前記押出部材によって前記レンズ設置部から押し出される前記眼内レンズの光学部の移動をガイドする左右一対の側壁ガイドを備え、
前記左右一対の側壁ガイドは、前記押出部材によって前記レンズ設置部から押し出される前記眼内レンズの光学部をガイドするガイド面を有するとともに、前記ガイド面に沿って移動する前記光学部を一時停止させるための突出部を有する
ことを特徴とする請求項１〜７のいずれか１項に記載の眼内レンズ挿入器具。
【請求項９】
前記レンズ設置部には、前記眼内レンズの光学部が移動を開始する移動開始位置が設定されており、
前記突出部は、前記光学部が前記移動開始位置から所定量だけ移動したときに前記光学部と接触するように配置されている
ことを特徴とする請求項８に記載の眼内レンズ挿入器具。
【請求項１０】
前記所定量が０．５ｍｍ以上１．０ｍｍ以下である
ことを特徴とする請求項９に記載の眼内レンズ挿入器具。
【請求項１１】
前記突出部の突出寸法は、０．１ｍｍ以上０．５ｍｍ以下である
ことを特徴とする請求項８〜１０のいずれか１項に記載の眼内レンズ挿入器具。
【請求項１２】
前記レンズ設置部に前記眼内レンズが予め設置されたプリロードタイプである
ことを特徴とする請求項１〜１１のいずれか１項に記載の眼内レンズ挿入器具。
【請求項１３】
前記レンズ設置部では、前記眼内レンズが無負荷状態で設置される
ことを特徴とする請求項１〜１２のいずれか１項に記載の眼内レンズ挿入器具。
【発明の詳細な説明】
【技術分野】
【０００１】
本発明は、眼内レンズを眼内に挿入するときに用いられる眼内レンズ挿入器具に関する。
【背景技術】
【０００２】
白内障手術の一つとして、白く濁った水晶体を超音波乳化吸引術によって摘出し、その後で眼内に眼内レンズを挿入することが広く行われている。また近年では、眼への負担が少ない低侵襲の白内障手術を実現するために、シリコーンエラストマーや軟質アクリル等の軟性材料からなるワンピースタイプの眼内レンズを、小さく折り畳んだ状態で眼内に挿入することが行われている。ワンピースタイプの眼内レンズは、レンズ機能を果たす光学部と、この光学部から延在する一対の支持部とを有し、眼内レンズ全体が軟性材料によって構成されている。【０００３】
また、ワンピースタイプの眼内レンズを取り扱う眼内レンズ挿入器具には、できるだけ術者の眼内レンズ挿入操作性を向上させるために、一対の支持部を光学部で抱き込むように眼内レンズを折り畳む機能を備えたものがある（たとえば、特許文献１を参照）。この種の眼内レンズ挿入器具では、各々の支持部の先端部を光学部の面上に乗せた状態で、光学部を丸く折り畳む必要がある。また、従来の眼内レンズ挿入器具のなかには、眼内レンズを押し出す押出部材を備え、この押出部材によって眼内レンズを押し出すときに眼内レンズを折り畳むものがある。
【先行技術文献】
【特許文献】
【０００４】
【特許文献１】特開２０１１−２５５０２９号公報
【発明の概要】
【発明が解決しようとする課題】
【０００５】
しかしながら、従来の眼内レンズ挿入器具においては、押出部材で眼内レンズを押し出すときに、支持部の先端部が光学部の縁に引っ掛かるなどして、支持部の先端部が光学部の面上にスムーズに乗らないことがあった。【０００６】
本発明の主な目的は、支持部を光学部で抱き込むように眼内レンズを折り畳むときに、支持部の先端部を光学部の面上に確実に乗せることができる眼内レンズ挿入器具を提供することにある。
【課題を解決するための手段】
【０００７】
（第１の態様）
本発明の第１の態様は、
光学部と当該光学部から延在する支持部とを有する眼内レンズを眼内に挿入する眼内レンズ挿入器具であって、
前記眼内レンズが設置されるレンズ設置部が設けられた挿入器具本体と、
前記挿入器具本体の中心軸方向に移動することにより、前記レンズ設置部から前記眼内レンズを押し出す押出部材と、
前記押出部材が前記挿入器具本体の中心軸方向に移動する際に、前記押出部材の移動をガイドするガイド機構と、
を備え、
前記押出部材の先端部は、前記挿入器具本体の中心軸方向に前記押出部材が移動する際に、前記眼内レンズの前記支持部に接触し且つ前記支持部を押し込みながら前記光学部に接触し、
前記ガイド機構は、前記押出部材の先端部が前記挿入器具本体の中心軸と交差する方向に変位するように、前記押出部材の移動をガイドする
ことを特徴とする眼内レンズ挿入器具である。
（第２の態様）
本発明の第２の態様は、
前記ガイド機構は、前記押出部材の移動をガイドするガイドスロープを備え、当該ガイドスロープに沿って前記押出部材の先端部を上下方向に変位させる
ことを特徴とする上記第１の態様に記載の眼内レンズ挿入器具である。
（第３の態様）
本発明の第３の態様は、
前記ガイド機構は、前記押出部材の先端部が上方に変位しながら前記支持部を押し込むように、前記押出部材の移動をガイドする
ことを特徴とする上記第２の態様に記載の眼内レンズ挿入器具である。
（第４の態様）
本発明の第４の態様は、
前記ガイド機構は、前記押出部材の移動方向の上流側から下流側に向かって斜め上方向に傾斜した傾斜部を有する下側ガイドスロープと、前記押出部材の移動方向の上流側から下流側に向かって斜め下方向に傾斜した傾斜部を有する上側ガイドスロープとを備える
ことを特徴とする上記第２または第３の態様に記載の眼内レンズ挿入器具である。
（第５の態様）
本発明の第５の態様は、
前記ガイド機構は、前記挿入器具本体の中心軸方向に移動する前記押出部材の先端部の横振れを抑制する抑制部を備える
ことを特徴とする上記第２〜第４の態様のいずれか１つに記載の眼内レンズ挿入器具である。
（第６の態様）
本発明の第６の態様は、
前記ガイド機構は、前記押出部材の移動をガイドするガイド溝を備え、当該ガイド溝に沿って前記押出部材の先端部を左右方向に変位させる
ことを特徴とする上記第１の態様に記載の眼内レンズ挿入器具である。
（第７の態様）
本発明の第７の態様は、
前記ガイド機構は、前記押出部材の先端部が前記挿入器具本体の中心軸の位置から左右方向の一方にずれた位置で前記支持部の先端部に接触した後、前記押出部材の先端部が左右方向の他方に変位して前記挿入器具本体の中心軸の位置で前記光学部に接触するように、前記押出部材の移動をガイドする
ことを特徴とする上記第６の態様に記載の眼内レンズ挿入器具である。
（第８の態様）
本発明の第８の態様は、
前記押出部材によって前記レンズ設置部から押し出される前記眼内レンズの光学部の移動をガイドする左右一対の側壁ガイドを備え、
前記左右一対の側壁ガイドは、前記押出部材によって前記レンズ設置部から押し出される前記眼内レンズの光学部をガイドするガイド面を有するとともに、前記ガイド面に沿って移動する前記光学部を一時停止させるための突出部を有する
ことを特徴とする上記第１〜第７の態様のいずれか１つに記載の眼内レンズ挿入器具である。
（第９の態様）
本発明の第９の態様は、
前記レンズ設置部には、前記眼内レンズの光学部が移動を開始する移動開始位置が設定されており、
前記突出部は、前記光学部が前記移動開始位置から所定量だけ移動したときに前記光学部と接触するように配置されている
ことを特徴とする上記第８の態様に記載の眼内レンズ挿入器具である。
（第１０の態様）
本発明の第１０の態様は、
前記所定量が０．５ｍｍ以上１．０ｍｍ以下である
ことを特徴とする上記第９の態様に記載の眼内レンズ挿入器具である。
（第１１の態様）
本発明の第１１の態様は、
前記突出部の突出寸法は、０．１ｍｍ以上０．５ｍｍ以下である
ことを特徴とする上記第８〜第１０の態様のいずれか１つに記載の眼内レンズ挿入器具である。
（第１２の態様）
本発明の第１２の態様は、
前記レンズ設置部に前記眼内レンズが予め設置されたプリロードタイプである
ことを特徴とする上記第１〜第１１の態様のいずれか１つに記載の眼内レンズ挿入器具である。
（第１３の態様）
本発明の第１３の態様は、
前記レンズ設置部では、前記眼内レンズが無負荷状態で設置される
ことを特徴とする上記第１〜第１２の態様のいずれか１つに記載の眼内レンズ挿入器具である。
【発明の効果】
【０００８】
本発明によれば、支持部を光学部で抱き込むように眼内レンズを折り畳むときに、支持部の先端部を光学部の面上に確実に乗せることができる。
【図面の簡単な説明】
【０００９】
【図１】本発明の実施形態に係る眼内レンズ挿入器具の全体構成を示す斜視図である。
【図２】本発明の実施形態に係る眼内レンズ挿入器具の全体構成を示す側断面図である。
【図３】本発明の実施形態に係る眼内レンズ挿入器具をケースに収容したときの状態を示す斜視図である。
【図４】本発明の実施形態に係る眼内レンズ挿入器具をケースから取り出すときの状態を示す斜視図である。
【図５】（Ａ）は本発明の実施形態に係る眼内レンズ挿入器具の要部構成を示す平断面図であり、（Ｂ）は当該要部構成を示す側断面図であり、（Ｃ）は（Ｂ）の部分拡大図である。
【図６】（Ａ）〜（Ｄ）は操作部の回転操作にともなう押出部材の移動の様子を時系列で示す図である。
【図７】眼内レンズが押出部材によって押し出される様子を時系列で示す平断面図である。
【図８】眼内レンズが押出部材によって押し出される様子を時系列で示す側断面図である。
【図９】本発明の第２実施形態に係る眼内レンズ挿入器具の要部を示す断面図である。
【図１０】下溝と上溝の構造を説明するための図であって、（Ａ）は挿入器具本体の中心軸の位置から上溝を見たときの概略図、（Ｂ）は挿入器具本体の中心軸の位置から下溝を見たときの概略図、（Ｃ）は（Ａ）のＶ１−Ｖ１位置における上溝の断面構造を示す図、（Ｄ）は（Ｂ）のＶ２−Ｖ２位置における下溝の断面構造を示す図である。
【図１１】（Ａ）〜（Ｃ）は本発明の第２実施形態に係る眼内レンズ挿入器具の動作を説明する図（その１）である。
【図１２】（Ａ），（Ｂ）は本発明の第２実施形態に係る眼内レンズ挿入器具の動作を説明する図（その２）である。
【図１３】本発明の第３実施形態に係る眼内レンズ挿入器具の要部構成を拡大した平面図である。
【図１４】本発明の第３実施形態に係る眼内レンズ挿入器具において押出部材により眼内レンズを押し出すときの様子を時系列で示す平断面図（その１）である。
【図１５】本発明の第３実施形態に係る眼内レンズ挿入器具において押出部材により眼内レンズを押し出すときの様子を時系列で示す平断面図（その２）である。
【図１６】本発明の比較形態に係る眼内レンズ挿入器具の要部として、挿入器具本体と挿入筒の接続部分の内部構造を示すもので、（Ａ）はその接続部分の内部構造を上方から見た図、（Ｂ）はその接続部分の内部構造を後方から見た斜視図である。
【図１７】（Ａ），（Ｂ）は本発明の比較形態に係る眼内レンズ挿入器具内での眼内レンズの移動の様子を示す図である。
【図１８】本発明の第４実施形態に係る眼内レンズ挿入器具の要部として、挿入器具本体と挿入筒の接続部分の内部構造を示すもので、（Ａ）はその接続部分の内部構造を上方から見た図、（Ｂ）はその接続部分の内部構造を後方から見た斜視図である。
【図１９】（Ａ），（Ｂ）は本発明の第４実施形態に係る眼内レンズ挿入器具内での眼内レンズの移動の様子を示す図である。
【図２０】（Ａ）〜（Ｄ）は本発明の第４実施形態における突出部の構造例を示す図である。
【発明を実施するための形態】
【００１０】
以下、本発明の実施形態について図面を参照しつつ詳細に説明する。
本発明の実施形態においては、次の順序で説明を行う。
１．眼内レンズ挿入装置の構成
２．眼内レンズ挿入器具の組立方法
３．眼内レンズ挿入器具の使用方法
４．実施形態の効果
５．他の実施形態
６．変形例等
【００１１】
＜１．眼内レンズ挿入装置の構成＞
図１は本発明の実施形態に係る眼内レンズ挿入器具の全体構成を示す斜視図であり、図２は本発明の実施形態に係る眼内レンズ挿入器具の全体構成を示す側断面図である。
【００１２】
図示した眼内レンズ挿入器具１は、ディスポーザブル（使い捨て）の製品として提供されるものであって、眼内レンズを眼内に挿入する際に用いられる。眼内レンズ挿入器具１は、予め眼内レンズが設置されたプリロードタイプとなっている。プリロードタイプの眼内レンズ挿入器具１では、眼内レンズ挿入器具１を工場から出荷する段階で、後述するレンズ設置部に予め眼内レンズが設置された状態となる。
【００１３】
本実施形態においては、眼内レンズ挿入器具１の各部の相対的な位置関係や動作の方向などを明確にするために、Ｘ１方向を先端側（前方）、Ｘ２方向を後端側（後方）、Ｙ１方向を右側（右方）、Ｙ２方向を左側（左方）、Ｚ１方向を上側（上方）、Ｚ２方向を下側（下方）とする。このうち、Ｘ１方向およびＸ２方向は、眼内レンズ挿入器具１の中心軸方向（以下、単に「中心軸方向」ともいう。）に相当し、Ｙ１方向およびＹ２方向は、眼内レンズ挿入器具１の幅方向（左右方向）に相当し、Ｚ１方向およびＺ２方向は、眼内レンズ挿入器具１の高さ方向（上下方向）に相当する。また、Ｘ１方向、Ｘ２方向、Ｙ１方向およびＹ２方向に平行な平面な水平面とし、これと直角をなす平面を垂直面とする。図中の符号Ｊは、眼内レンズ挿入器具１の中心軸を示している。
【００１４】
眼内レンズ挿入器具１は、たとえば図３に示すように、ケース１００に収容された状態でユーザーに提供される。ケース１００は樹脂で構成されている。ケース１００は、眼内レンズ挿入器具１を着脱できるように、上方を開放した構造になっている。ケース１００には、ケース１００の上方を部分的に塞ぐ開閉蓋１０１と、この開閉蓋１０１と一緒に開閉動作する注入蓋１０２と、が形成されている。
【００１５】
ケース１００は、眼内レンズ挿入器具１を収容可能な空間を有し、この空間に眼内レンズ挿入器具１が収容されている。開閉蓋１０１は、ケース１００に眼内レンズ挿入器具１を収容したときは閉じた状態（図３）となり、ケース１００から眼内レンズ挿入器具１を取り出すときは開いた状態（図４）となる。開閉蓋１０１を閉じた状態では、ケース１００に収容された眼内レンズ挿入器具１が開閉蓋１０１によって上から押さえられる。開閉蓋１０１を開いた状態では、ケース１００の上方が開放される。開閉蓋１０１の開閉操作は、眼内レンズ挿入器具１の製造者またはユーザーによって行われる。
【００１６】
開閉蓋１０１には引っ掛け部１０３が設けられている。引っ掛け部１０３は、開閉蓋１０１を開閉操作するときにユーザーの指を引っ掛けるための部分である。また、開閉蓋１０１にはスリット１０４が形成されている。スリット１０４は、引っ掛け部１０３の近傍に形成されている。これに対して、ケース１００には、図４に示すように、突起１０５が形成されている。突起１０５は、開閉蓋１０１を閉じたときにスリット１０４に嵌合することにより、開閉蓋１０１を閉じ状態に保持するものである。
【００１７】
注入蓋１０２は、粘弾性物質を注入するためのものである。注入蓋１０２には小さな孔が形成され、この孔を中心に注入蓋１０２の一部が漏斗状に形成されている。注入蓋１０２は、開閉蓋１０１と一緒に動くように、開閉蓋１０１と部分的につながっている。
【００１８】
また、ケース１００には、数字付きの目印１０６，１０７，１０８が付されている。各々の目印１０６，１０７，１０８に付された数字は、ケース１００から眼内レンズ挿入器具１を取り出す際にユーザーが行うべき作業の手順を示している。また、目印１０７，１０８に付された矢印は、それぞれユーザーが行うべき作業の方向を示している。具体的には、数字の「１」がされた目印１０６は、注入蓋１０２を通して粘弾性物質を注入する作業を行うべきことを示している。また、数字の「２」が付された目印１０７は、矢印の方向に開閉蓋１０１を開ける作業を行うべきことを示し、数字の「３」が付された目印１０８は、矢印の方向に眼内レンズ挿入器具１を取り出す作業を行うべきことを示している。
【００１９】
眼内レンズ挿入器具１は、図１および図２に示すように、大きくは、挿入器具本体２と、操作部３と、挿入筒４と、押出部材５と、を備えている。眼内レンズ挿入器具１の各部は樹脂で構成されている。
【００２０】
（挿入器本体）
挿入器具本体２は、全体に筒状に形成されている。挿入器具本体２の内部には、Ｘ１方向およびＸ２方向への押出部材５の移動を許容する中空部が形成されている。挿入器具本体２の先端部にはレンズ設置部６が設けられている。レンズ設置部６は、挿入器具本体２の下側の外周壁から前方に突き出すように形成されている。眼内レンズ７は、このレンズ設置部６に設置される（図５参照）。また、眼内レンズ挿入器具１の中心軸Ｊは、挿入器具本体２、操作部３および挿入筒４の各中心軸に一致している。
【００２１】
本実施形態においては、一例として、シリコーンエラストマーや軟質アクリルなどの軟性材料からなるワンピースタイプの眼内レンズ７を取り扱うものとする。眼内レンズ７は、光学的な機能を果たす光学部８と、この光学部８の外周縁から外向きに弧状に延在する一対（２つ）の支持部９ａ，９ｂと、を有している。光学部８は、平面視円形に形成されている。一対の支持部９ａ，９ｂは、それぞれ細長い腕状に形成されている。
【００２２】
ここで、レンズ設置部６の構成について、図５を用いて詳しく説明する。
レンズ設置部６の上面には、ガイドスロープ１１が形成されている。ガイドスロープ１１は、押出部材５が挿入器具本体２の中心軸方向に移動する際に、押出部材５の移動をガイドするガイド機構を構成するものである。ガイドスロープ１１は、レンズ設置部６の一部を上方に突出（隆起）させた状態で、押出部材５の移動経路上に形成されている。ガイドスロープ１１は、図５（Ｃ）に示すように、水平面に対して傾斜した傾斜部１１ａと、傾斜がつかない頂上部１１ｂと、水平面に対して垂直をなす段差部１１ｃと、を有している。傾斜部１１ａは、レンズ設置部６の後方から前方に向かって徐々に高位となる状態で傾斜している。換言すると、傾斜部１１ａは、押出部材５の移動方向の上流側から下流側に向かって斜め上方向に傾斜している。頂上部１１ｂは、傾斜部１１ａの最上部から水平に延在する状態で形成されている。段差部１１ｃは、頂上部１１ｂの先端から垂直に落ち込んだ状態で形成されている。
【００２３】
また、レンズ設置部６に設置した眼内レンズ７の上下方向の変位量を制限するために、レンズ設置部６には、図示しない左右一対の凹溝が形成されている。一対の凹溝は、挿入器具本体２のレンズ設置部６を区画する左右の側壁部に、互いに対向する状態で形成されるものである。一対の凹溝は、レンズ設置部６に眼内レンズ７を設置する際に、光学部８の左右の外周部に嵌合することにより、光学部８の上下方向の動きを規制する。
【００２４】
上記構成からなるレンズ設置部６に対して、眼内レンズ７は、一方の支持部９ａをレンズ設置部６の前方に配置し、他方の支持部９ｂをレンズ設置部６の後方に配置した状態で設置される。また、レンズ設置部６においては、光学部８の後方の縁をガイドスロープ１１の段差部１１ｃに対向する状態で、眼内レンズ７がほぼ水平に設置（載置）される。なお、図２では眼内レンズ７の表記を省略している。
【００２５】
（操作部）
操作部３は、挿入器具本体２の後端部に同軸上に連結されている。この連結状態において、操作部３は、挿入器具本体２の中心軸回りに回転自在に支持される。操作部３は、円筒状に形成されている。操作部３の外周面には、複数の突条部３ａが形成されている。各々の突条部３ａは、操作部３の長手方向と平行に形成されている。操作部３は、押出部材５で眼内レンズ７を押し出す際に、術者などのユーザーによって回転操作される部分となる。その際、操作部３の外周部に複数の突条部３ａを形成しておけば、ユーザーの指が突条部３ａに引っ掛かるため、操作部３を回転操作しやすくなる。なお、本明細書においては、眼内レンズ挿入器具１の状態として、ユーザーが操作部３を回転操作する前の状態を初期状態という。
【００２６】
操作部３の内周面には、上記図２に示すように、第１のネジ部３ｂが形成されている。第１のネジ部３ｂは、雌ネジを構成している。第１のネジ部３ｂは、操作部３の中心軸方向のほぼ全般にわたって形成されている。操作部３の後端部には、突き当て部３ｃが形成されている。突き当て部３ｃは、操作部３の後端部の開口径を小さく絞るように内側に曲げて形成されている。突き当て部３ｃは、プランジャ部１７が操作部３の後端部よりも後方に突出しないように、プランジャ部１７の後端部が突き当てられる部分となる。
【００２７】
（挿入筒）
挿入筒４は、レンズ設置部６に設置された眼内レンズ７を眼内に挿入する際に、眼内レンズ７を小さく折り畳んだ状態で眼内に導くためのものである。挿入筒４は、中空の挿入筒本体４ａと、細い管状のノズル部４ｂと、を一体に有している。挿入筒４は、挿入器具本体２の先端部に装着されている。この装着状態において、挿入器具本体２のレンズ設置部６は、挿入筒４の挿入筒本体４ａ内に収容して配置されている。挿入筒本体４ａの内部の空間は、ノズル部４ｂに向かって徐々に狭められている。これは、レンズ設置部６から挿入筒４へと押し出される眼内レンズ７を小さく折り畳むためである。眼内レンズ７は、最終的には一対の支持部９ａ，９ｂを光学部８で抱き込むように小さく丸めて折り畳まれる。
【００２８】
ノズル部４ｂは、挿入筒４の先端部に形成されている。ノズル部４ｂの先端部は斜めの切り口で開口している。このため、ノズル部４ｂの開口は、斜め下方を向いている。ノズル部４ｂの先端部は、眼内レンズ挿入器具１を用いて眼内レンズ７を眼内に挿入する際に、眼球の切開創に差し込まれる部分となる。
【００２９】
挿入筒本体４ａの上壁には注入部４ｃが形成され、挿入筒本体４ａの下壁には貫通孔４ｄが形成されている。注入部４ｃは、粘弾性物質（たとえば、ヒアルロン酸ナトリウムなど）を注入するための部分である。貫通孔４ｄは、上述したケース１００の底部に垂直に立てて設けられたピン（不図示）が挿入される部分である。このピンは、眼内レンズ７を内蔵した眼内レンズ挿入器具１をケース１００に収容した場合に、貫通孔４ｄを通して支持部９ｂの基端部の近傍に突き出して配置される。これにより、ケース１００に眼内レンズ挿入器具１を収容した状態では、レンズ設置部６で眼内レンズ７の位置が大きくずれないように、眼内レンズ７の動きが抑制される。
【００３０】
（押出部材）
押出部材５は、挿入器具本体２の中心軸方向に移動可能に設けられている。押出部材５は、挿入器具本体２の中心軸方向（Ｘ１方向）に移動することにより、レンズ設置部６から眼内レンズ７を押し出すものである。その際、押出部材５は、挿入器具本体２と操作部３と挿入筒４とが形成する中空部内を移動する。
【００３１】
押出部材５は、プランジャ部１７と、ロッド部１８と、を有している。プランジャ部１７とロッド部１８とは、一体構造で押出部材５を構成するものであってもよいし、プランジャ部１７とロッド部１８をそれぞれ別体構造とし、これらを相互に組み付けることで押出部材５を構成するものであってもよい。眼内レンズ挿入器具１の中心軸方向において、プランジャ部１７は相対的に後方に配置され、ロッド部１８は相対的に前方に配置されている。このため、押出部材５の先端部は、ロッド部１８の先端部に相当する。
【００３２】
プランジャ部１７は棒状に形成されている。プランジャ部１７は、使用前の初期状態では、操作部３の後端部から突出しないように操作部３の内部に挿入した状態で配置される。プランジャ部１７の後端部には第２のネジ部１７ａが形成されている。第２のネジ部１７ａは、雄ネジを構成している。第２のネジ部１７ａは、操作部３の内側で第１のネジ部３ｂと噛み合っている。眼内レンズ挿入器具１を使用する場合は、操作部３を挿入器具本体２の中心軸回りに回転させるように操作し、これによって押出部材５全体を前方に移動させることになる。そのときのプランジャ部１７の移動開始位置は、プランジャ部１７の後端部を操作部３の突き当て部３ｃに突き当てることで一義的に決まる。
【００３３】
ロッド部１８は、押出部材５が挿入器具本体２の中心軸方向に移動する際に、レンズ設置部６に設置されている眼内レンズ７を前方に押し出すことにより、眼内レンズ７を所定の形状に折り畳み、この状態で眼内レンズ７を挿入筒４のノズル部４ｂの開口部から放出させるものである。ロッド部１８は、プランジャ部１７よりも細い棒状に形成されている。ロッド部１８は、適度な可撓性を有するように弾性変形可能に構成されている。ロッド部１８の先端部には、第１接触部１８ａと第２接触部１８ｂとが形成されている。眼内レンズ７をロッド部１８で押し出す場合、第１接触部１８ａは支持部９ｂに接触し、第２接触部１８ｂは光学部８に接触する部分となる。第２接触部１８ｂの上端部は、光学部８の縁を把持できるように、庇状に突出している。ロッド部１８の先端側の下面は、第２接触部１８ｂから後方に向かって緩やかに傾斜した傾斜面１８ｃとなっている。傾斜面１８ｃは、押出部材５を前方に移動させる場合に、その移動の途中で、ロッド部１８の先端部をガイドスロープ１１の傾斜部１１ａに沿って上方に変位させた後に、ロッド部１８の先端部を傾斜面１８ｃの傾斜を利用して下方に変位させるために形成されている。
【００３４】
＜２．眼内レンズ挿入器具の組立方法＞
次に、眼内レンズ挿入器具１の組立方法について説明する。
まず、眼内レンズ挿入器具１を構成する部材（２，３，４，５）を用意したら、操作部３に押出部材５を取り付ける。具体的には、押出部材５のプランジャ部１７の後端部に操作部３の先端の開口部をかぶせるように嵌め込んで、操作部３を回転させる。これにより、操作部３の内周面に形成した第１のネジ部３ｂと、プランジャ部１７の後端部に設けた第２のネジ部１７ａとが互いに噛み合う。このため、押出部材５の回転を規制しながら操作部３を回転させると、操作部３の回転にしたがってプランジャ部１７が操作部３の内部に挿入されていく。このとき、プランジャ部１７の後端部が操作部３の突き当て部３ｃに突き当たるまで、操作部３を回転させる。
【００３５】
次に、操作部３に挿入器具本体２を取り付ける。このとき、押出部材５のロッド部１８を挿入器具本体２の中空部に挿入する。これにより、ロッド部１８の先端部（１８ａ，１８ｂ）は、レンズ設置部６の少し手前に配置される。
【００３６】
次に、別途用意した眼内レンズ７を挿入器具本体２のレンズ設置部６に水平に設置する。このとき、眼内レンズ７の光学部８は、ガイドスロープ１１の段差部１１ｃよりも僅かに前方に配置する。また、一方の支持部９ａは前方に配置し、他方の支持部９ｂは後方に配置する。また、支持部９ｂの先端側は、ロッド部１８の進行方向を遮るように配置する。
【００３７】
このようにレンズ設置部６に眼内レンズ７を設置した状態では、眼内レンズ７が無負荷状態となる。無負荷状態とは、眼内レンズにほとんど負荷（圧力）がかかっていない状態、すなわち眼内レンズが本来の形状を維持している状態をいう。なお、眼内レンズの本来の形状とは、眼内レンズの製造を終えた段階の形状をいう。
【００３８】
次に、挿入器具本体２の先端部に挿入筒４を取り付ける。以上で、眼内レンズ７を内蔵する眼内レンズ挿入器具１の組み立てが完了する。なお、挿入器具本体２と操作部３とを連結する構造や、挿入器具本体２と挿入筒４とを連結する構造については、たとえば、特願２０１４−５５７６１の明細書および図面（特開２０１５−１７７８４５号公報）に記載した構造を採用してもよいし、これ以外の連結構造を採用してもよい。
【００３９】
上述のように眼内レンズ挿入器具１の組み立てを終えたら、その後、眼内レンズ挿入器具１をケース１００に収容して開閉蓋１０１を閉じておく。このとき、ケース１００の注入蓋１０２は眼内レンズ挿入器具１の注入部４ｃに被せられる。この状態で眼内レンズ挿入器具１は、ケース１００と一緒に滅菌バッグ等に入れて保管される。
【００４０】
＜３．眼内レンズ挿入器具の使用方法＞
次に、眼内レンズ挿入器具１の使用方法について説明する。
まず、ユーザーは、滅菌バッグ等からケース１００と一緒に眼内レンズ挿入器具１を取り出す。
【００４１】
次に、ユーザーは、ケース１００に眼内レンズ挿入器具１に収容したまま、目印１０６の示唆にしたがって注入蓋１０２から粘弾性物質を注入する。これにより、レンズ設置部６に設置されている眼内レンズ７に対して、注入蓋１０２から注入部４ｃを通して粘弾性物質が注入（供給）される。
【００４２】
次に、ユーザーは、目印１０７の示唆にしたがって開閉蓋１０１を開ける。そうすると、それまで開閉蓋１０１で隠されていた目印１０８が見える状態になる。そこで、ユーザーは、目印１０８の示唆にしたがってケース１００から眼内レンズ挿入器具１を取り出す。
【００４３】
その後、ユーザーは、操作部３を回転操作することにより、挿入筒４の先端部から眼内レンズ７を押し出す。そのときの眼内レンズ挿入器具１の各部の動作について説明する。  
【００４４】
（押出部材の動き）
まず、操作部３を回転操作したときの押出部材５の動作について説明する。
操作部３を一方向に回転操作すると、第１のネジ部３ｂと第２のネジ部１７ａとの噛み合いにより、押出部材５が前方に移動する。このとき、押出部材５のプランジャ部１７は、挿入器具本体２の中空部に嵌合しつつ、挿入器具本体２の中心軸方向（Ｘ１方向）に真っ直ぐに移動する。また、押出部材５は、操作部３の回転操作にしたがって図６（Ａ）〜（Ｄ）に示すように移動する。
【００４５】
図６（Ａ）は押出部材５のロッド部１８の先端部をレンズ設置部６の先端部まで前進させた段階を示し、同図（Ｂ）はロッド部１８の先端部を挿入筒４の挿入筒本体４ａまで前進させた段階を示している。また、図６（Ｃ）はロッド部１８の先端部を挿入筒４のノズル部４ｂまで前進させた段階を示し、同図（Ｄ）はロッド部１８の先端部を挿入筒４のノズル部４ｂよりも前方に突出させた段階を示している。
【００４６】
（ロッド部先端の動きと眼内レンズの状態変化）
上述のように押出部材５を移動させると、ロッド部１８の先端部は、レンズ設置部６から眼内レンズ７を押し出すように前進移動する。その際、ロッド部１８の先端部は、ガイドスロープ１１によってガイドされることにより、主に４つの段階を経てレンズ設置部６を通過する。その様子を図７（Ａ）〜（Ｄ）の平断面図および図８（Ａ）〜（Ｄ）の側断面図に示す。以下、各段階について詳しく説明する。
【００４７】
（第１の段階）
第１の段階は、図７（Ａ）および図８（Ａ）に示すように、ロッド部１８の先端部が支持部９ｂに接触する段階である。このとき、ロッド部１８の先端部がレンズ設置部６に進出することで、ロッド部１８先端の第１接触部１８ａが支持部９ｂの先端側に接触する。また、支持部９ｂの先端側は第１接触部１８ａの上に乗り上がるかたちで支持される。
【００４８】
（第２の段階）
第２の段階は、図７（Ｂ）および図８（Ｂ）に示すように、ロッド部１８の先端部が支持部９ｂに接触しながら支持部９ｂを押し込む段階である。このとき、ロッド部１８の先端部がガイドスロープ１１の傾斜部１１ａに達すると、ロッド部１８の先端部に上向きの力が加わる。そうすると、ロッド部１８の先端部は、ロッド部１８自身の弾性変形により上方に変位する。このため、ロッド部１８の先端部は、ガイドスロープ１１の傾斜部１１ａに沿って上方に変位しながら支持部９ｂを押し込むように前進移動する。これにより、支持部９ｂは徐々に曲げられる。また、支持部９ｂの先端側は徐々に持ち上げられる。
【００４９】
なお、一対の支持部９ａ，９ｂを軟質で弾性変形しやすい材料によって形成しておけば、ロッド部１８の先端部で支持部９ｂを押し込んでも、その押し込み力は支持部９ｂの変形によって吸収される。このため、ロッド部１８の先端部で支持部９ｂを押し込んでも、光学部８の位置は初期状態とほとんど変わらない。
【００５０】
（第３の段階）
第３の段階は、図７（Ｃ）および図８（Ｃ）に示すように、ロッド部１８の先端部が光学部８に接触する段階である。このとき、ロッド部１８の先端部は、ガイドスロープ１１の頂上部１１ｂに達してそこを通過することにより、光学部８に接触する。具体的には、ロッド部１８の先端部に形成されている第２接触部１８ｂが光学部８の縁に接触する。また、支持部９ｂは、ロッド部１８の前進移動によってさらに大きく曲げられる。具体的には、支持部９ｂ全体が略Ｕ字形をなすように光学部８側に曲げられる。また、ロッド部１８の先端部が光学部８に接触する前に、支持部９ｂの先端側が適度に持ち上げられる。このため、支持部９ｂの先端部が光学部８の縁に引っ掛かりにくくなり、この状況で支持部９ｂの先端部が光学部８の面上に乗り上げられる。
【００５１】
（第４の段階）
第４の段階は、図７（Ｄ）および図８（Ｄ）に示すように、ロッド部１８の先端部が支持部９ｂと光学部８とに接触しながら眼内レンズ７全体を押し込む段階である。このとき、ロッド部１８の先端部には上記ロッド部１８自身の弾性変形による反力によって下向きの力を働いているため、ロッド部１８の傾斜面１８ｃは下側ガイドスロープ１１のエッジ部分（段差部１１ｃの上端）に押しつけられる。このため、ロッド部１８の先端部は、ガイドスロープ１１の段差部１１ｃを通過した直後から、傾斜面１８ｃの傾斜にしたがって徐々に下方に変位し、最終的に元の高さ位置に戻る。
【００５２】
こうしてレンズ設置部６から押し出された眼内レンズ７は、引き続きロッド部１８に押されて挿入筒４内を前方に向かって移動する。その際、眼内レンズ７の光学部８は、先細りの形状とされた挿入筒本体４ａの内壁によって左右方向から丸められ、最終的には一対の支持部９ａ，９ｂを抱き込むように折り畳まれる。また、支持部９ａは、挿入筒４内の徐々に狭められた空間の形状に倣って曲げられる（図７（Ｄ）を参照）。
【００５３】
このように折り畳まれた眼内レンズ７は、ロッド部１８によって挿入筒４のノズル部４ｂから押し出される。このとき、挿入筒４のノズル部４ｂを眼球の切開創に差し込んだ状態で、ノズル部４ｂの開口から眼内レンズ７を押し出すことにより、眼内に眼内レンズ７を挿入することができる。
【００５４】
＜４．実施形態の効果＞
本発明の実施形態においては、押出部材５が挿入器具本体２の中心軸方向に移動する際に、ロッド部１８の先端部がガイド機構にガイドされて挿入器具本体２の中心軸と交差する方向（本形態では上下方向）に変位する構成になっている。この構成により、押出部材５の移動によってロッド部１８の先端部を支持部９ｂと光学部８に順に接触させる際に、光学部８と支持部９ｂとの間に適度な高低差をつけることができる。このため、支持部９ｂの先端部を光学部８の面上に確実に乗せることが可能となる。
【００５５】
また、本発明の実施形態においては、挿入器具本体２にガイドスロープ１１を形成し、このガイドスロープ１１に沿ってロッド部１８の先端部を上下方向に変位させることで、支持部９ｂの先端側を上方に持ち上げることができる。このため、支持部９ｂの先端部を光学部８の面上に乗りやすい状況を作り出すことができる。
【００５６】
また、本発明の実施形態においては、ロッド部１８の先端部がガイドスロープ１１の傾斜部１１ａに沿って上方に変位しながら支持部９ｂを押し込む構成になっている。このため、押出部材５による一連の押し出し動作のなかで、支持部９ｂを曲げる動作と、支持部９ｂを持ち上げる動作とを並行して行うことができる。
【００５７】
＜５．他の実施形態＞
続いて、本発明の他の実施形態について説明する。本発明の他の実施形態はいくつか存在するため、便宜上、先述した実施形態（図１〜図８）を第１実施形態とし、他の実施形態はそれぞれ第２実施形態、第３実施形態等とする。また、本発明の他の実施形態においては、先述した実施形態（第１実施形態）と同様の部分に同じ符号を付して説明する。
【００５８】
（第２実施形態）
以下に本発明の第２実施形態について説明する。
本発明の第２実施形態においては、先述した第１実施形態と比較して、押出部材５の移動をガイドするガイド機構の構成が異なる。すなわち、第１実施形態においては、挿入器具本体２のレンズ設置部６にガイドスロープ１１を形成し、このガイドスロープ１１によってガイド機構を構成したが、第２実施形態においては、後述するように押出部材５の移動経路の上側と下側にそれぞれガイドスロープを設け、これらのガイドスロープによってガイド機構を構成している。また、第２実施形態のガイド機構は、押出部材５の先端部の横振れを抑制する抑制部を備えている。
【００５９】
図９は本発明の第２実施形態に係る眼内レンズ挿入器具の要部を示す断面図である。この図９は眼内レンズ挿入器具の要部を中心軸Ｊ（図１）上で縦に断面した図であって、図の左方向がＸ１方向、右方向がＸ２方向、上方向がＺ１方向、下方向がＺ２方向に対応する。
本第２実施形態においては、押出部材５の移動をガイドするガイド機構が、下側ガイドスロープ１１と上側ガイドスロープ１２によって構成されている。下側ガイドスロープ１１は、上記第１実施形態で述べたガイドスロープ１１（図５）と同様に、傾斜部１１ａ、頂上部１１ｂおよび段差部１１ｃによって構成されている。上側ガイドスロープ１２は、傾斜部１２ａによって構成されている。下側ガイドスロープ１１は挿入器具本体２のレンズ設置部６上に形成され、上側ガイドスロープ１２は挿入筒４の内側の上壁部に形成されている。また、押出部材５の移動方向（Ｘ１方向）において、上側ガイドスロープ１２の傾斜部１２ａは、下側ガイドスロープ１１の傾斜部１１ａよりも下流側に配置されている。
【００６０】
下側ガイドスロープ１１は、その傾斜部１１ａを利用して、押出部材５のロッド部１８の先端部を上方に変位させ、上側ガイドスロープ１２は、その傾斜部１２ａを利用して、ロッド部１８の先端部を下方に変位させるものである。このため、下側ガイドスロープ１１の傾斜部１１ａは、押出部材５の移動方向（Ｘ１方向）の上流側から下流側に向かって斜め上方向に傾斜し、上側ガイドスロープ１２の傾斜部１２ａは、押出部材５の移動方向（Ｘ１方向）の上流側から下流側に向かって斜め下方向に傾斜している。
【００６１】
また、挿入器具本体２のレンズ設置部６とこれに対向する挿入筒４内の上壁部には、上下に対をなして溝１３，１４が形成されている。溝１３，１４は、押出部材５が挿入器具本体２の中心軸方向に移動する際に、押出部材５の先端部の横振れを抑制する抑制部を構成するものである。押出部材５の先端部の横振れとは、レンズ設置部６の後方に待機している押出部材５を操作部３の回転操作によってＸ１方向に移動させるときに、ロッド部１８の先端部が左右方向に振れることをいう。押出部材５の先端部が横揺れすると、眼内レンズ７の狙いとする位置にロッド部１８の先端部を安定的に接触させることができなくなる。
【００６２】
溝１３はロッド部１８の移動経路の下側に形成され、溝１４はロッド部１８の移動経路の上側に形成されている。このため、溝１３と溝１４は、ロッド部１８の移動経路を介して上下方向で対向している。以降の説明では、下側の溝１３を下溝１３、上側の溝１４を上溝１４という。
【００６３】
図１０は下溝と上溝の構造を説明するための図であって、（Ａ）は挿入器具本体の中心軸の位置から上溝を見たときの概略図、（Ｂ）は挿入器具本体の中心軸の位置から下溝を見たときの概略図、（Ｃ）は（Ａ）のＶ１−Ｖ１位置における上溝の断面構造を示す図、（Ｄ）は（Ｂ）のＶ２−Ｖ２位置における下溝の断面構造を示す図である。
【００６４】
下溝１３と上溝１４は、押出部材５の先端部の横振れを抑制するために、押出部材５のロッド部１８先端部に嵌合可能に形成されている。具体的には、下溝１３は下側に凹んで形成され、上溝１４は上側に凹んで形成されている。また、下溝１３の幅Ｗ１は、ロッド部１８先端部の幅寸法に対応して設定され、上溝１４の幅Ｗ２も、ロッド部１８先端部の幅に対応して設定されている。なお、図９は眼内レンズ挿入器具１の操作部３を回転操作する前の状態、すなわち初期状態を示している。この初期状態においては、ロッド部１８の先端部が下向きの力を受けている。この下向きの力は、たとえばロッド部１８の先端部を下側に押さえつけるようにロッド部１８自身を弾性変形させることで発生させることができる。この点は、上記第１実施形態でも同様である。また、初期状態ではロッド部１８先端部の下側が下溝１３に嵌合している。
【００６５】
眼内レンズ挿入器具１の中心軸方向において、下溝１３の形成範囲Ｓ１は、下溝１３の先端１３ａから後端１３ｂまでの範囲となっており、上溝１４の形成範囲Ｓ２は、上溝１４の先端１４ａから後端１４ｂまでの範囲となっている。下溝１３の形成範囲Ｓ１には下側ガイドスロープ１１が含まれ、上溝１４の形成範囲Ｓ２には上側ガイドスロープ１２が含まれている。下溝１３と上溝１４は、それぞれ眼内レンズ挿入器具１の中心軸方向に沿って直線状に形成されている。下側ガイドスロープ１１は下溝１３の途中に形成され、上側ガイドスロープ１２は上溝１４の途中に形成されている。
【００６６】
下溝１３の先端１３ａは、上溝１４の先端１４ａとほぼ同じ位置に配置され、下溝１３の後端１３ｂは、上溝１４の後端１４ｂよりも後方にずれた位置に配置されている。このため、下溝１３の形成範囲Ｓ１は、上溝１４の形成範囲Ｓ２よりも広く（長く）なっている。また、下側ガイドスロープ１１が形成された部分では、下側ガイドスロープ１１の隆起によって下溝１３が一部途切れている。上溝１４は、形成範囲Ｓ２全体にわたって途中で途切れることなく連続的に形成されている。下溝１３の深さＤ１は、形成範囲Ｓ１全体にわたってほぼ一様な深さになっている。ただし、下溝１３の先端１３ａの近傍では、下溝１３の深さＤ１が徐々に浅くなっている。上溝１４の深さＤ２は、上側ガイドスロープ１２よりも上流側が下流側よりも深くなっている。また、上側ガイドスロープ１２が形成された部分では、上溝１４の深さＤ２が傾斜部１２ａの傾斜にならって連続的に変化している。
【００６７】
次に、本発明の第２実施形態に係る眼内レンズ挿入器具の動作について説明する。
ユーザーが操作部３を回転操作すると、押出部材５が前方に移動する。このとき、押出部材５のロッド部１８は、図１１および図１２に示すように移動する。
【００６８】
図１１（Ａ）は押出部材５のロッド部１８の先端部を下側ガイドスロープ１１の手前まで移動させた段階を示し、同図（Ｂ）はロッド部１８の先端部を下側ガイドスロープ１１の傾斜部１１ａまで移動させた段階を示し、同図（Ｃ）はロッド部１８の先端部を下側ガイドスロープ１１の頂上部１１ｂまで移動させた段階を示している。また、図１２（Ａ）はロッド部１８の先端部を下側ガイドスロープ１１よりも前方に移動させた段階を示し、同図（Ｂ）はロッド部１８の先端部を上側ガイドスロープ１２よりも前方に移動させた段階を示している。
【００６９】
まず、図９の初期状態から上記図１１（Ａ）の状態に至る過程では、ロッド部１８の先端部が下溝１３に嵌合しながら前方に移動し、この移動の途中でロッド部１８の第１接触部１８ａが眼内レンズ７の支持部９ｂに接触する。これにより、支持部９ｂの先端側が第１接触部１８ａの上に乗り上がるかたちで支持される。また、ロッド部１８の先端部は、移動の途中で上溝１４にも嵌合する。
【００７０】
次に、図１１（Ａ）の状態から同図（Ｂ）の状態に至る過程では、ロッド部１８の先端部が下側ガイドスロープ１１の傾斜部１１ａに沿って上方に変位しながら移動する。このとき、ロッド部１８の先端部は、ロッド部１８自身の弾性変形により上方に変位しながら支持部９ｂを押し込むように移動する。これにより、支持部９ｂは徐々に曲げられる。また、支持部９ｂの先端側は徐々に持ち上げられる。
【００７１】
次に、図１１（Ｂ）の状態から同図（Ｃ）の状態に至る過程では、ロッド部１８の先端部が下側ガイドスロープ１１の傾斜部１１ａに沿って上方に変位しながら頂上部１１ｂに到達し、その後は、頂上部１１ｂに沿って移動する。その際、ロッド部１８の先端部は、上溝１４に嵌合しながら移動する。また、ロッド部１８の第２接触部１８ｂは、頂上部１１ｂを通過中または通過直後に光学部８の縁に接触する。
【００７２】
次に、図１１（Ｃ）の状態から図１２（Ａ）の状態に至る過程では、ロッド部１８の先端部が上側ガイドスロープ１２の傾斜部１２ａに沿って下方に変位しながら移動する。このとき、ロッド部１８の先端部は、上溝１４に嵌合しながら移動するとともに、下側ガイドスロープ１１を通過した後に再び下溝１３に嵌合し、元の高さ位置に戻る。また、ロッド部１８の先端部（１８ａ，１８ｂ）は、支持部９ｂと光学部８に接触しながら眼内レンズ７全体を押し込む。このため、眼内レンズ７は、初期状態よりも前方に移動する。
【００７３】
ここで、第２実施形態においては、上記第１実施形態と同様のガイドスロープ１１が形成されているため、仮に上側ガイドスロープ１２が形成されていない場合でも、上記第１実施形態と同様の原理でロッド部１８の先端部を下方に変位させることは可能である。ただし、ロッド部１８が撓みやすい場合は、ロッド部１８の弾性変形による反力が弱くなるため、ロッド部１８の先端部が下側ガイドスロープ１１を乗り越えるときに、ロッド部１８の動作が不安定になるおそれがある。したがって、ロッド部１８をより安定的に動作させるためには、上側ガイドスロープ１２を形成しておくことが好ましい。
【００７４】
第２実施形態のように上側ガイドスロープ１２を形成した場合は、ロッド部１８の先端部が下側ガイドスロープ１１の段差部１１ｃを通過した直後から、ロッド部１８の先端部の上端が上側ガイドスロープ１２の傾斜部１２ａに近接または接触する。このため、ロッド部１８の先端部は、上側ガイドスロープ１２の傾斜部１２ａに沿って強制的に下方に変位させられる。したがって、ロッド部１８の変位動作がより安定したものとなる。
【００７５】
次に、図１２（Ａ）の状態から同図（Ｂ）の状態に至る過程では、ロッド部１８の先端部が下溝１３と上溝１４の両方に嵌合しながら移動する。このとき、ロッド部１８の先端部（１８ａ，１８ｂ）は、支持部９ｂと光学部８に接触しながら眼内レンズ７全体を更に押し込む。
【００７６】
その後、ロッド部１８の先端部は、下溝１３と上溝１４の両方に嵌合しながら更に前方に移動する。その際、ロッド部１８の先端部は、下溝１３の先端１３ａを通過する段階で下溝１３から離脱するとともに、上溝１４の先端１４ａを通過する段階で上溝１４から離脱する。このため、ロッド部１８の先端部は、下側ガイドスロープ１１の部分を通過するときを除けば、下溝１３と上溝１４の両方に嵌合しながら移動する。また、ロッド部１８の先端部は、下側ガイドスロープ１１の部分を通過するときは、上溝１４に嵌合しながら移動する。したがって、ロッド部１８の先端部は、溝１３，１４の形成範囲Ｓ１，Ｓ２を通過し終えるまでの間、少なくともいずれか一方の溝１３，１４との嵌合によって継続的に横振れが抑制される。
【００７７】
本発明の第２実施形態においては、上記第１実施形態と同様の効果に加えて、次のような効果が得られる。
すなわち、本発明の第２実施形態においては、押出部材５の移動をガイドするガイド機構を下側ガイドスロープ１１と上側ガイドスロープ１２によって構成している。このため、押出部材５のロッド部１８先端部を上下方向に変位させる動作をより安定的に行わせることができる。
【００７８】
また、本発明の第２実施形態においては、押出部材５のロッド部１８の先端部を上下方向に変位させる場合に、ロッド部１８の先端部の横振れが上下の溝１３，１４によって抑制される。このため、ロッド部１８の先端部を真っ直ぐに前進させることができる。したがって、眼内レンズ７の狙いとする位置にロッド部１８の先端部を安定的に接触させることが可能となる。
【００７９】
なお、本第２実施形態においては、押出部材５の先端部の横振れを抑制するために下溝１３と上溝１４を形成したが、同様の機能を奏するものであれば、溝以外の構造を採用してもよい。
【００８０】
（第３実施形態）
以下に本発明の第３実施形態について説明する。
一般に、ワンピースタイプの眼内レンズ７は、非常に軟らかい材料で構成されているため、ロッド部１８で支持部９ｂを押し込んだときに、支持部９ｂが設計上想定している形状に曲がらず、その形状が大きく崩れてしまうおそれがある。このような現象が生じると、ロッド部１８で支持部９ｂを押し込んでも、支持部９ｂの先端部を規定通りに光学部８の面上に乗せることができなくなる。
そこで、本発明の第３実施形態においては、眼内レンズ７全体が軟質の材料で構成されているワンピースタイプの眼内レンズ７を取り扱う場合に好適な眼内レンズ挿入器具１について述べる。ただし、本発明の第３実施形態に係る眼内レンズ挿入器具１は、ワンピースタイプ以外の眼内レンズを取り扱い場合にも適用可能である。
【００８１】
本発明の第３実施形態においては、先述した第１実施形態と比較して、挿入器具本体２が備えるレンズ設置部６の構成が異なる。
以下に、レンズ設置部６の構成について、図１３を用いて詳しく説明する。
レンズ設置部６には、ガイド溝２１が形成されている。ガイド溝２１は、押出部材５が挿入器具本体２の中心軸方向に移動する際に、押出部材５の先端部の移動をガイドするガイド機構を構成するものである。ガイド溝２１は、レンズ設置部６において光学部８が配置される領域の手前に、レンズ設置部６の上面を凹状にへこませた状態で形成されている。ガイド溝２１は、レンズ設置部６を上方から見た場合に、中心軸Ｊに対してカーブしている。具体的には、押出部材５の移動方向において、ガイド溝２１の上流側（図中、右側）は中心軸Ｊの位置から離れるように右方向Ｙ１にカーブし、ガイド溝２１の下流側（図中、左側）は中心軸Ｊの位置に近づくように左方向Ｙ２にカーブしている。
【００８２】
ガイド溝２１には、ロッド部１８の先端部が嵌合している。ロッド部１８の先端部は、ガイド溝２１に嵌合しながら、ガイド溝２１に沿って移動するようになっている。また、ガイド溝２１に沿ってロッド部１８の先端部が移動するときに、移動の開始側となるガイド溝２１の始端部２１ａは左右方向で中心軸Ｊ上に位置し、その反対側のガイド溝２１の終端部２１ｂも左右方向で中心軸Ｊ上に位置している。
【００８３】
これに対して、支持部９ｂの先端部は、レンズ設置部６に眼内レンズ７を設置した際に、ガイド溝２１に沿って移動するロッド部１８の移動経路を遮るように配置される。また、支持部９ｂの先端部は、ガイド溝２１の長さ方向の中間部２１ｃに配置される。ガイド溝２１の中間部２１ｃでは、ガイド溝２１のカーブする方向が右方向Ｙ１から左方向Ｙ２に切り替わっており、この部分に支持部９ｂの先端部が配置される。
【００８４】
上記構成からなるレンズ設置部６に眼内レンズ７を設置して、操作部３の回転動作により押出部材５を移動させると、ロッド部１８の先端部は、ガイド溝２１にガイドされて以下のように移動する。
【００８５】
まず、ロッド部１８の先端部は、図１４（Ａ）に示すように、中心軸Ｊ上に位置するガイド溝２１の始端部２１ａ（図１３参照）から移動を開始する。
【００８６】
次に、ロッド部１８の先端部は、図１４（Ｂ）に示すように、ガイド溝２１に沿ってガイド溝２１の始端部２１ａから中間部２１ｃ（図１３参照）へと移動する。このとき、ロッド部１８の先端部は、ロッド部１８自身の弾性変形により、ガイド溝２１のカーブにしたがって右方向Ｙ１に変位しながら移動（前進）する。また、ロッド部１８の先端部は、ガイド溝２１の中間部２１ｃに達したところ（換言すると、中心軸Ｊの位置から右方向Ｙ１にずれた位置）で支持部９ｂの先端部に接触する。具体的には、ロッド部１８の先端部に形成されている第１接触部１８ａが支持部９ｂの先端部に接触する。これにより、支持部９ｂの先端部は、第１接触部１８ａの上に乗り上がるかたちで支持される。
【００８７】
次に、ロッド部１８の先端部は、図１４（Ｃ）に示すように、ガイド溝２１に沿って移動しながら支持部９ｂを押し込む。このとき、支持部９ｂは、図１５（Ａ）にも示すように、ロッド部１８の前進移動によって徐々に曲げられていく。また、ロッド部１８の先端部は、ガイド溝２１のカーブにしたがって左方向Ｙ２に変位しながら移動（前進）する。
【００８８】
次に、ロッド部１８の先端部は、図１５（Ｂ）に示すように、中心軸Ｊ上に位置するガイド溝２１の終端部２１ｂ（図１３参照）に達したところで光学部８に接触する。このとき、ロッド部１８の先端部は、光学部８のほぼ中心を通る中心軸Ｊの位置で、光学部８に接触する。具体的には、ロッド部１８の先端部に形成されている第２接触部１８ｂが光学部８の縁に接触する。また、支持部９ｂは、ガイド溝２１に沿ったロッド部１８の前進移動によってさらに大きく曲げられる。具体的には、支持部９ｂ全体が略Ｕ字形をなすように光学部８側に曲げられる。
【００８９】
次に、ロッド部１８の先端部は、図１５（Ｃ）に示すように、支持部９ｂと光学部８とに接触しながら眼内レンズ７全体を押し込む。この段階では、ロッド部１８の先端部がガイド溝２１を通過し終わっている。このため、ロッド部１８の先端部は、中心軸Ｊに沿って真っ直ぐに移動する。以降は、先述した第１実施形態と同様であるため、説明を省略する。
【００９０】
本発明の第３実施形態においては、押出部材５が挿入器具本体２の中心軸方向に移動する際に、ロッド部１８の先端部がガイド機構にガイドされて挿入器具本体２の中心軸と交差する方向（本形態では左右方向）に変位する構成になっている。この構成により、押出部材５の移動によってロッド部１８の先端部を支持部９ｂと光学部８に順に接触させる際に、支持部９ｂを想定通りの形状に曲げることが可能となる。この点についてさらに詳しく説明する。
【００９１】
まず、ロッド部１８の先端部を左右方向に変位（カーブ）させずに中心軸Ｊに沿って真っ直ぐに移動させたと仮定すると、支持部９ｂに対してロッド部１８の先端部が接触する位置は、上記第３実施形態に比べて、支持部９ｂの長さ方向の中間部寄りの位置となる。このような位置でロッド部１８の先端部を支持部９ｂに接触させると、ロッド部１８の先端部で支持部９ｂを押し込んだときに、支持部９ｂの先端側が設計上想定している方向と異なる方向（典型的には反対方向）に曲がってしまうリスクが高くなる。その結果、支持部９ｂの先端部を規定通りに光学部８の面上に乗せることができなくなるおそれがある。
【００９２】
これに対して、上記第３実施形態では、まず、ロッド部１８の先端部を中心軸Ｊの位置から右方向Ｙ１にずれた位置で支持部９ｂの先端部に接触させ、その後、ロッド部１８の先端部を左方向Ｙ２に変位させて中心軸Ｊの位置で光学部８に接触させている。このため、ロッド部１８の先端部で支持部９ｂを押し込んだときに、支持部９ｂの先端側を設計想定している方向に曲げることができる。したがって、支持部９ｂを想定通りの形状に曲げることができる。その結果、支持部９ｂの先端部を確実に光学部８の面上に乗せることが可能となる。
【００９３】
また、本発明の第３実施形態においては、挿入器具本体２にガイド溝２１を形成し、このガイド溝２１に沿ってロッド部１８の先端部を左右方向に変位させることで、支持部９ｂの形状的な崩れを抑制することができる。これにより、支持部９ｂの先端側を想定通りの形状に曲げて、支持部９ｂの先端部を光学部８の面上に乗せることができる。
【００９４】
（第４実施形態）
以下に本発明の第４実施形態について説明する。
本発明の第４実施形態においては、先述した第１実施形態と比較して、挿入器具本体２と挿入筒４の構成が異なる。なお、ここでは最初に本発明の比較形態について説明し、その後で本発明の第４実施形態について説明する。
【００９５】
図１６は本発明の比較形態に係る眼内レンズ挿入器具の要部として、挿入器具本体と挿入筒の接続部分の内部構造を示すもので、（Ａ）はその接続部分の内部構造を上方から見た図、（Ｂ）はその接続部分の内部構造を後方から見た斜視図である。
【００９６】
挿入器具本体２のレンズ設置部６には、そこに設置される眼内レンズ７を位置決めするための縁部１５ａ，１５ｂが形成されている。縁部１５ａは光学部８の外形に沿う形状に形成され、縁部１５ｂは支持部９ｂの外形に沿う形状に形成されている。縁部１５ａ，１５ｂにはそれぞれ段差が設けられ、この段差を利用して眼内レンズ７の位置決めを行える構成になっている。すなわち、レンズ設置部６においては、縁部１５ａに沿わせて光学部８を配置し、かつ、縁部１５ｂに沿わせて支持部９ｂを配置することにより、初期状態における眼内レンズ７の設置位置（以下、「初期位置」という。）が決まる構成になっている。眼内レンズ７を初期位置に配置したときの光学部８の位置は、押出部材５によって眼内レンズ７を押し出すときに光学部８が移動を開始する位置となる。このため、レンズ設置部６における光学部８の移動開始位置は、縁部１５ａを利用して設定されることになる。
【００９７】
眼内レンズ挿入器具１の中心軸方向には、レンズ設置部６から挿入筒４内にかけて左右一対の側壁ガイド２２，２２が形成されている。一対の側壁ガイド２２，２２は、光学部８の左右の縁に近接または接触することによって光学部８の左右方向の位置を規制するガイド面２２ａ，２２ｂをそれぞれ有している。一方のガイド面２２ａは、レンズ設置部６に形成され、他方のガイド面２２ｂは挿入筒４の内側に形成されている。以降の説明では、一方のガイド面２２ａを第１ガイド面２２ａ、他方のガイド面２２ｂを第２ガイド面２２ｂという。
【００９８】
第１ガイド面２２ａは、上記の縁部１５ａに滑らかにつながるようにレンズ設置部６上に形成されている。第１ガイド面２２ａは、眼内レンズ挿入器具１の中心軸Ｊに沿って真っ直ぐに形成されている。第２ガイド面２２ｂは、第１ガイド面２２ａに滑らかにつながるように挿入筒４の側壁部分に形成されている。第２ガイド面２２ｂは、眼内レンズ挿入器具１の中心軸Ｊに対して傾きを有している。具体的には、第２ガイド面２２ｂは、第１ガイド面２２ａと第２ガイド面２２ｂとのつなぎ部分２２ｃから徐々に内側（眼内レンズ挿入器具１の中心軸Ｊに近づく側）に傾斜している。これにより、一対の側壁ガイド２２，２２の左右方向の離間距離は、次のようになっている。まず、第１ガイド面２２ａが形成された部分では、光学部８の外径と同じか、それよりも僅かに大きい寸法になっている。これに対して、第２ガイド面２２ｂが形成された部分では、第１ガイド面２２ａとのつなぎ部分２２ｃから挿入筒４のノズル部４ｂ（図１）に向かって徐々に小さくなっている。
【００９９】
本発明の比較形態において、レンズ設置部６に設置された眼内レンズ７を押出部材５のロッド部１８で押し出すと、眼内レンズ７は初期位置から移動を開始する。このとき、光学部８は、図１７（Ａ），（Ｂ）に示すように、左右の第１ガイド面２２ａにガイドされながら前方（Ｘ１方向）に移動する。次に、光学部８の左右の縁は、第１ガイド面２２ａと第２ガイド面２２ｂとのつなぎ部分２２ｃに到達する。このつなぎ部分２２ｃでは、第１ガイド面２２ａと第２ガイド面２２ｂを滑らかにつないでいる。このため、光学部８はつなぎ部分２２ｃに引っ掛かることなく前方に移動する。
【０１００】
なお、比較形態においては、光学部８がつなぎ部分２２ｃに引っ掛からないように、第１ガイド面２２ａに比べて第２ガイド面２２ｂを僅かに外側に配置している。また、図１７においては、図１６に示す初期位置から眼内レンズ７がどの程度移動したかを容易に理解できるように、後方の支持部９ｂの形状を図１６と同様に表しているが、実際には支持部９ｂがロッド部１８に押されて曲がった状態になる。
【０１０１】
次に、光学部８は、左右の第２ガイド面２２ｂにガイドされながら更に前方に移動する。この場合、左右の第２ガイド面２２ｂ間の離間距離は、前方にいくに従って徐々に小さくなっており、これに従って挿入筒４内の空間も徐々に狭くなっている。このため、ロッド部１８で眼内レンズ７を押し出すと、光学部８は、左右の第２ガイド面２２ｂにガイドされながら徐々に湾曲していき、最終的には小さく丸めて折り畳まれる。
【０１０２】
以上述べた比較形態に関し、本発明者は、更に改善すべき点があることを新たに見出した。
まず、比較形態においては、各々の側壁ガイド２２が有する第１ガイド面２２ａと第２ガイド面２２ｂとを滑らかにつないでいる。このため、眼内レンズ７の光学部８は、つなぎ部分２２ｃで停止することなく第１ガイド面２２ａと第２ガイド面２２ｂに沿って移動する。そうした場合、眼内レンズ７の物理的な特性によっては、次のような不具合を招くおそれがある。
【０１０３】
一対の支持部９ａ，９ｂは眼内で光学部８を支持するために適度な曲げ剛性を有する。このため、各々の支持部９ａ，９ｂの曲げ剛性の高さによっては、ロッド部１８の第１接触部１８ａで支持部９ｂを押し込んだときに、支持部９ｂの曲げ変形が不十分な状態、すなわち想定よりも早いタイミングで光学部８が移動を開始してしまうことがあり得る。そうした場合、上記比較形態のように第１ガイド面２２ａと第２ガイド面２２ｂとを滑らかにつなぐと、支持部９ｂの先端部が光学部８の面上に乗り上がらないまま光学部８が前方に押し出されるおそれがある。
【０１０４】
また、上述のように支持部９ｂの曲げ変形が不十分な状態で光学部８が移動を開始した場合は、支持部９ｂの先端部が光学部８の縁に引っ掛かりやすくなる。その理由は、次のとおりである。レンズ設置部６には光学部８の上下方向の変位量を制限する左右一対の凹溝が形成されている。そして初期状態では光学部８の左右の外周部がそれぞれに対応する凹溝内に配置され、これによって光学部８の上下方向の動きが規制されている。しかしながら、支持部９ｂの曲げ変形が不十分な状態で光学部８が移動を開始した場合は、支持部９ｂの先端部が光学部８の面上に乗り上がる前に、光学部８の外周部が凹溝から外れるおそれがある。このため、凹溝による制限が解除されて光学部８が上方に変位し、支持部９ｂの先端部が光学部８の縁に引っ掛かりやすくなる。この対策としては、光学部８の外周部が凹溝から外れないように凹溝の長さを長くすることが考えられる。ただし、この対策を採用すると、光学部８が第２ガイド面２２ｂとの接触によって湾曲し始めるときに、光学部８の外周部が凹溝に引っ掛かり、光学部８の湾曲変形を妨げてしまうおそれがある。このため、凹溝の長さを長くするにも限界がある。
【０１０５】
図１８は本発明の第４実施形態に係る眼内レンズ挿入器具の要部として、挿入器具本体と挿入筒の接続部分の内部構造を示すもので、（Ａ）はその接続部分の内部構造を上方から見た図、（Ｂ）はその接続部分の内部構造を後方から見た斜視図である。
【０１０６】
本第４実施形態は、上記比較形態で起こりうる不具合を解消しようとするものである。
本第４実施形態と上記比較形態との違いは、一対の側壁ガイド２２，２２の構成にある。具体的には、上記比較形態では、各々の側壁ガイド２２が有する第１ガイド面２２ａと第２ガイド面２２ｂとを滑らかにつないでいるが、本第４実施形態では、第１ガイド面２２ａと第２ガイド面２２ｂとを滑らかにつながずに、それらのつなぎ部分２２ｃに突出部２２ｄを形成している。
【０１０７】
突出部２２ｄは、押出部材５によって押し出される眼内レンズ７の光学部８を一時停止させるためのものである。突出部２２ｄは、つなぎ部分２２ｃにおいて第２ガイド面２２ｂを第１ガイド面２２ａよりも内側（眼内レンズ挿入器具１の中心軸Ｊに近い側）に所定寸法Ｌｙだけ突き出すように形成されている。これにより、左右の側壁ガイド２２，２２間の離間距離は、突出部２２ｄの突き出しにより、光学部８の直径よりも短い寸法になっている。このため、レンズ設置部６の初期位置に設置された眼内レンズ７を押出部材５で押し出すと、光学部８の左右の縁がそれぞれに対応する突出部２２ｄに引っ掛かることになる。
【０１０８】
突出部２２ｄの突出寸法Ｌｙは、つなぎ部２２ｃにおける第１ガイド面２２ａと第２ガイド面２２ｂの左右方向の位置ずれ量に相当するもので、好ましくは０．１ｍｍ以上０．５ｍｍ以下である。突出部２２ｄは左右両側に存在するため、たとえば突出部２２ｄの突出寸法を０．２ｍｍに設定した場合は、左右の側壁ガイド２２，２２間の離間距離は、合計０．４ｍｍ（片側０．２ｍｍずつ）短くなる。
【０１０９】
突出部２２ｄは、光学部８が移動開始位置に配置されているときは光学部８に接触せず、光学部８が移動開始位置から所定量Ｍ（図１９（Ａ）参照）だけ移動したとき光学部８に接触するように配置されている。所定量Ｍは、好ましくは０．５ｍｍ以上１．０ｍｍ以下であり、より好ましくは０．６ｍｍ以上０．８ｍｍ以下である。この所定量Ｍは、光学部８の外周部が左右の凹溝から外れるまでの光学部８の移動距離よりも短く設定される。これにより、光学部８の外周部が凹溝から外れる前に、光学部８を突出部２２ｄに接触させることができる。
【０１１０】
左右の側壁ガイド２２，２２の離間距離は、次のようになっている。まず、第１ガイド面２２ａが形成された部分では、上記比較形態と同様に、光学部８の外径と同じか、それよりも僅かに大きい寸法になっている。これに対して、第２ガイド面２２ｂが形成された部分では、つなぎ部２２ｃに形成された突出部２２ｄから挿入筒４のノズル部４ｂに向かって徐々に小さくなっている。
【０１１１】
本発明の第４実施形態において、レンズ設置部６に設置された眼内レンズ７を押出部材５のロッド部１８で前方に押し出すと、眼内レンズ７は初期位置から移動を開始する。このとき、光学部８は、左右の第１ガイド面２２ａにガイドされながら前方（Ｘ１方向）に移動する。次に、光学部８の左右の縁は、第１ガイド面２２ａと第２ガイド面２２ｂとのつなぎ部分２２ｃに到達する。このつなぎ部分２２ｃには突出部２２ｄが形成されている。このため、図１９（Ａ），（Ｂ）に示すように、光学部８の左右の縁はそれぞれに対応する突出部２２ｄに接触して引っ掛かり、この引っ掛かりによって光学部８が一時停止する。
【０１１２】
したがって、仮に支持部９ｂの曲げ変形が不十分な状態で光学部８が移動を開始した場合でも、光学部８が一時停止している間にロッド部１８の先端部で支持部９ｂを十分に曲げ、支持部９ｂの先端部を光学部８の面上に乗せることができる。また、光学部８の左右の外周部が凹溝から外れる前に光学部８を一時停止させることにより、光学部８の上下方向（特に、上方向）の変位量を凹溝で制限しながら、光学部８の縁にロッド部１８の先端部を接触させることができる。このため、支持部９ｂの先端部を光学部８の縁に引っ掛けることなく光学部８の面上に乗せることができる。
【０１１３】
なお、上述のように光学部８が一時停止している間にロッド部１８の先端部が光学部８の縁に接触すると、それ以後、光学部８はロッド部１８によって強制的に押し出される。このため、一対の突出部２２ｄに対する光学部８の引っ掛かりが解除され、それと同時に光学部８の一時停止も解除される。したがって、光学部８は再び移動し始める。
【０１１４】
次に、光学部８は、左右の第２ガイド面２２ｂにガイドされながら前方に移動する。この場合、左右の第２ガイド面２２ｂ間の離間距離は、前方にいくに従って徐々に小さくなっており、これに従って挿入筒４内の空間も徐々に狭くなっている。このため、ロッド部１８で眼内レンズ７を押し出すと、光学部８は、左右の第２ガイド面２２ｂにガイドされながら徐々に湾曲していき、最終的には小さく丸めて折り畳まれる。その際、光学部８の面上に支持部９ｂの先端部が乗っていると、光学部８は、支持部９ｂを抱き込む方向に湾曲しやすくなる。その理由は、光学部８は、支持部９ｂが乗っている側には変形しやすくなる反面、それと反対側には変形しにくくなるからである。このため、光学部８が想定よりも早いタイミングで移動を開始した場合でも、光学部８の湾曲する方向を一方向（支持部９ｂを抱き込む方向）に確定させることができる。
【０１１５】
なお、上記第４実施形態において、突出部２２ｄの構造は、光学部８を一時停止させることが可能な構造であれば、どのような構造を採用してもかまわない。たとえば、図２０（Ａ）に示すように、第１ガイド面２２ａと直角をなすように突出部２２ｄを形成してもよいし、同図（Ｂ）に示すように、第１ガイド面２２ａと鈍角をなすように突出部ｄを形成してもよいし、同図（Ｃ），（Ｄ）に示すように、第１ガイド面２２ａから第２ガイド面２２ｂにかけてラウンド形状に突出部２２ｄを形成してもよい。
また、上記第４実施形態においては、第１ガイド面２２ａと第２ガイド面２２ｂのつなぎ部分２２ｃに突出部２２ｄを形成したが、これに限らず、第１ガイド面２２ａの途中または第２ガイド面２２ｂの途中に、上記同様の目的で突出部２２ｄを形成してもよい。
【０１１６】
＜６．変形例等＞
本発明の技術的範囲は上述した実施の形態に限定されるものではなく、発明の構成要件やその組み合わせによって得られる特定の効果を導き出せる範囲において、種々の変更や改良を加えた形態も含む。
【０１１７】
たとえば、上記各実施形態においては、プリロードタイプの眼内レンズ挿入器具１を例に挙げて説明したが、本発明はこれに限らず、眼内レンズ挿入器具を使用するユーザーがその都度、眼内レンズを設置するタイプの眼内レンズ挿入器具に適用してもよい。
【０１１８】
また、上記各実施形態においては、操作部３の回転操作によって押出部材５を前方に移動させる構成を採用したが、本発明はこれに限らず、たとえば押出部材を指で直接押し込む構成を採用してもよい。
【０１１９】
また、上記各実施形態においては、押出部材５のロッド部１８を弾性変形可能な構成とし、押出部材５を前方に移動した際に、ロッド部１８の弾性変形によって、ロッド部１８の先端部を所定の方向（上下方向、左右方向）に変位させる構成としたが、本発明はこれに限らない。たとえば、プランジャ部１７とロッド部１８とを相互に連結する構造とし、両者の連結部分でロッド部１８を回動可能に支持する構成としてもよい。
【０１２０】
また、上記各実施形態においては、光学部８の上下方向の変位量を制限するために、レンズ設置部６に左右一対の凹溝を形成するとしたが、これ以外の構成であってもよい。たとえば図示はしないが、挿入筒４の内側に左右一対の押さえ部を形成しておき、レンズ設置部６に眼内レンズ７を設置して挿入筒４を装着した場合に、光学部８の左右の外周部の上方に適度な隙間を介して押さえ部が配置される構成としてもよい。参考までに、上記第２実施形態（図９〜図１２）においては、挿入筒４の内側に押さえ部１６を形成し、この押さえ部１６によって光学部８の上下方向の変位量を制限する構成を採用している。
【０１２１】
また、上記第１実施形態および第２実施形態では、ロッド部１８の先端部を上下方向に変位させる構成を採用し、上記第３実施形態では、ロッド部１８の先端部を左右方向に変位させる構成を採用したが、本発明はこれに限らず、たとえばそれらの実施形態を適宜組み合わせることにより、ロッド部１８の先端部を上下方向と左右方向の両方に変位させる構成を採用してもよい。この構成を採用すれば、支持部９ｂの先端部をより確実に光学部８の面上に乗せることが可能となる。
【０１２２】
また、上記第３実施形態においては、ガイド溝２１の始端部２１ａから中間部２１ｃに至る部分で、ガイド溝２１を右方向Ｙ１にカーブさせているが、本発明はこれに限らず、ガイド溝２１の始端部２１ａを中心軸Ｊよりも右方向Ｙ１にずらして配置し、始端部２１ａから中間部２１ｃに至る部分を中心軸Ｊに沿って真っ直ぐに形成してもよい。この構成を採用した場合、ロッド部１８の先端部は、ガイド溝２１の始端部２１ａから中間部２１ｃに至る部分では、中心軸Ｊよりも右方向Ｙ１にずれた位置を真っ直ぐに移動し、ガイド溝２１の中間部２１ｃから終端部２１ｂに至る部分では、左方向Ｙ２に変位しながら移動することになる。
【０１２３】
また、上記第１〜第３実施形態においては、押出部材５の移動をガイドするガイド機構として、ロッド部１８の先端部の動きをガイドスロープ１１，１２や溝１３，１４、あるいはガイド溝２１などによって直接的にガイドする構成を挙げたが、本発明はこれに限らず、ロッド部１８の先端部以外の部分（たとえば、ロッド部１８の中間部や基端部側など）との接触によって、ロッド部１８の先端部の動きを間接的にガイドする構成を採用してもよい。
【０１２４】
また、上記第１〜第４実施形態の特徴的な構成は、特段の支障がないかぎり、相互に組み合わせることができる。
【０１２５】
また、上記第４実施形態の構成は、押出部材の移動をガイドするガイド機構を備えていない眼内レンズ挿入器具に適用してもよい。その場合の好ましい態様を付記する。
（付記１）
光学部と当該光学部から延在する支持部とを有する眼内レンズを眼内に挿入する眼内レンズ挿入器具であって、
前記眼内レンズが設置されるレンズ設置部が設けられた挿入器具本体と、
前記挿入器具本体の中心軸方向に移動することにより、前記レンズ設置部から前記眼内レンズを押し出す押出部材と、
前記押出部材によって前記レンズ設置部から押し出される前記眼内レンズの光学部の移動をガイドする左右一対の側壁ガイドと、
を備え、
前記左右一対の側壁ガイドは、前記押出部材によって前記レンズ設置部から押し出される前記眼内レンズの光学部をガイドするガイド面を有するとともに、前記ガイド面に沿って移動する前記光学部を一時停止させるための突出部を有する
ことを特徴とする眼内レンズ挿入器具。
（付記２）
前記レンズ設置部には、前記眼内レンズの光学部が移動を開始する移動開始位置が設定されており、
前記突出部は、前記光学部が前記移動開始位置から所定量だけ移動したときに前記光学部と接触するように配置されている
ことを特徴とする上記付記１に記載の眼内レンズ挿入器具。
（付記３）
前記所定量が０．５ｍｍ以上１．０ｍｍ以下である
ことを特徴とする上記付記２に記載の眼内レンズ挿入器具。
（付記４）
前記突出部の突出寸法は、０．１ｍｍ以上０．５ｍｍ以下である
ことを特徴とする上記付記１〜３のいずれか１つに記載の眼内レンズ挿入器具。
【符号の説明】
【０１２６】
１…眼内レンズ挿入器具
２…挿入器具本体
３…操作部
４…挿入筒
５…押出部材
６…レンズ設置部
７…眼内レンズ
８…光学部
９ａ…支持部（前方支持部）
９ｂ…支持部（後方支持部）
１１…ガイドスロープ（下側ガイドスロープ）
１２…上側ガイドスロープ
１３…下溝
１４…上溝
１８…ロッド部
２１…ガイド溝
２２…側壁ガイド
２２ａ…第１ガイド面
２２ｂ…第２ガイド面
２２ｃ…つなぎ部
２２ｄ…突出部
【図１】
2017047714.tif 000003
【図２】
2017047714.tif 000004
【図３】
2017047714.tif 000005
【図４】
2017047714.tif 000006
【図５】
2017047714.tif 000007
【図６】
2017047714.tif 000008
【図７】
2017047714.tif 000009
【図８】
2017047714.tif 000010
【図９】
2017047714.tif 000011
【図１０】
2017047714.tif 000012
【図１１】
2017047714.tif 000013
【図１２】
2017047714.tif 000014
【図１３】
2017047714.tif 000015
【図１４】
2017047714.tif 000016
【図１５】
2017047714.tif 000017
【図１６】
2017047714.tif 000018
【図１７】
2017047714.tif 000019
【図１８】
2017047714.tif 000020
【図１９】
2017047714.tif 000021
【図２０】
2017047714.tif 000022
【国際調査報告】
2017047714.tif 000023
2017047714.tif 000024
2017047714.tif 000025
2017047714.tif 000026